(57)【要約】【課題】耐水性能が不足する扉に対して、耐水性能の向上を容易に図ることができる扉を提供する。【解決手段】扉枠１１に対して両開き式に開閉可能に支持された一対の扉体１３ａ，１３ｂと、一対の扉体１３ａ，１３ｂの一方における室内側の面の戸先部に固定された回転軸２２まわりに回転可能に、一方の端部が支持された棒状のかんぬき部２０と、一対の扉体１３ａ，１３ｂの他方における室内側の面の戸先部に設けられ、かんぬき部２０の他方の端部が嵌め合わされる受止め部３０と、かんぬき部２０の他方の端部を、回転軸２２および受止め部３０よりも上方に配置された状態で保持するとともに、一対の扉体１３ａ，１３ｂの少なくとも他方の戸先部の中央が室内側に突出した際にかんぬき部２０の他方の端部の保持が解除される係止部４０と、が設けられていることを特徴とする。【選択図】  図１
2013163897.tif 000002
【特許請求の範囲】
【請求項１】
扉枠に対して両開き式に開閉可能に支持された一対の扉体と、
前記一対の扉体の一方における室内側の面の戸先部に固定された回転軸まわりに回転可能に、一方の端部が支持された棒状のかんぬき部と、
前記一対の扉体の他方における前記室内側の面の戸先部に設けられ、前記かんぬき部の他方の端部が嵌め合わされる受止め部と、
前記かんぬき部の他方の端部を、前記回転軸および前記受止め部よりも上方に配置された状態で保持するとともに、前記一対の扉体の少なくとも他方の戸先部の中央が前記室内側に突出した際に前記かんぬき部の他方の端部の保持が解除される係止部と、
が設けられていることを特徴とする扉。
【請求項２】
前記係止部が、互いに嵌め合わされる係止凸部および係止凹部であり、
前記係止凸部および前記係止凹部の一方が、前記かんぬき部の他方の端部に設けられ、前記係止凸部および前記係止凹部の他方が、前記回転軸が設けられた扉体に設けられていることを特徴とする請求項１記載の扉。
【請求項３】
前記係止部が、磁力によって互いに吸着する吸着部および被吸着部であり、
前記吸着部および前記被吸着部の一方が、前記かんぬき部の他方の端部に設けられ、前記吸着部および前記被吸着部の他方が、前記回転軸が設けられた扉体に設けられていることを特徴とする請求項１記載の扉。
【請求項４】
前記係止部が、磁力によって磁性材料に吸着する吸着部であり、
前記かんぬき部の他方の端部、および、前記回転軸が設けられた扉体の一方に吸着部が設けられ、
前記かんぬき部の他方の端部、および、前記回転軸が設けられた扉体の少なくとも他方は、前記吸着部が吸着する前記磁性材料から形成された部分を有することを特徴とする請求項１記載の扉。
【請求項５】
前記扉体における室外側の面には、戸先部から吊元部に向かって延びる、他の部分よりも室外側へ突出した変形抑制部が設けられ、
前記一対の扉体のそれぞれに設けられた前記変形抑制部における戸先側の端部の間には隙間が形成され、
前記一対の扉体の戸先部が前記室内側に変形した際に、前記変形抑制部の戸先側の端部が互いに接触することを特徴とする請求項１から４のいずれか１項に記載の扉。
【発明の詳細な説明】
【技術分野】
【０００１】
本発明は、鋼製扉における水没時の耐水性能を向上させた扉に関する。
【背景技術】
【０００２】
従来の建物に用いられる鋼製扉には、その閉鎖性能に応じて下記の４つの区分が設けられている。第１の区分は通常の鋼製扉の区分であり、建具枠と障子との間や、障子同士の召し合わせ部分などの隙間に何の処置も行わず、空気や音などの閉鎖性を有さない扉の区分である。第２の区分はセミエアタイト扉の区分であり、建具枠と障子との間や、障子同士の召し合わせ部分にクロロプレンゴムなどからなる気密材が組み込まれ、扉閉鎖時にある程度の気密性が確保される扉の区分である。
【０００３】
第３の区分はエアタイト扉の区分であり、上述のセミエアタイト扉に更に、扉閉鎖時に気密材に食い込む突起部が設けられ、障子自体あるいは障子と建具枠とを圧着させるロック機構が設けられた扉の区分である（例えば、特許文献１参照）。第４の区分は水密扉の区分であり、扉が水没した際の水密性を確保するために水密用のパッキンが設けられるとともに、水圧に耐えるために障子や建具枠が強化された扉の区分である。
【０００４】
第１の区分の通常の鋼製扉は、建物の内部で気密性や遮音性が必要とされないところに設けられている。第２の区分のセミエアタイト扉は、ある程度の遮音性が必要とされるところに設けられることが多い。
【０００５】
第３の区分のエアタイト扉は、遮音性に加えて気密性も求められるところ、主に重要な部屋であって直接外気に触れるところに設けられる。エアタイト扉は一般的に用いられる扉のなかでは最も閉鎖性が高いため、外部建具として使用される頻度が高い扉である。
【０００６】
これらの区分の扉と比較して、第４の区分の水密扉は仕様が大きく異なり、水圧に耐える必要があることから比較的小型のものが大半を占めている。そのため水密扉は、主に、電力室などの水密性が強く求められるところにのみ使用され、エアタイト扉と比較して使用される頻度は低くなっている。
【先行技術文献】
【特許文献】
【０００７】
【特許文献１】特開２０１１−０９４３３２号公報
【発明の概要】
【発明が解決しようとする課題】
【０００８】
上述のように外部建具として使用される機会の多いエアタイト扉は、気密性を確保できても、水没した際に水圧によって破壊されることがある。具体的には、洪水や津波による浸水によって、エアタイト扉が水没し、破壊される事例が過去にも発生している。
【０００９】
具体的には、エアタイト扉が水没した場合、エアタイト扉に加わる水圧は最下部が最も大きく、上方へ向かうに伴い小さくなる。例えばエアタイト扉が両開き式の扉の場合、建具枠により支持される障子（扉本体）の縁では変形が拘束され、扉本体の中央部分で水圧による変形が発生する。より詳細には、上述のように下側に向かうに伴い水圧が大きくなるため、中央部分よりもやや下側の部分の変形が最も大きくなる。
【００１０】
このような変形が更に大きくなると、エアタイト扉の召し合わせ部分の中央に設けられたグレモン錠などのロック機構や、エアタイト扉の下部に設けられたロック機構などの固定ハンドルの嵌合が破壊されたり、脱落が発生したりする。すると、これらロック機構による固定力を失った扉本体の変形が更に進み、エアタイト扉の召し合わせ部分に破口が生じ、扉全体の破壊が一挙に進むことになる。
【００１１】
このような扉の破壊を防ぐためには、エアタイト扉を水密扉に取り換えることが最初に考えられる。しかしながら、水密扉への取り換えは交換部品が大きく、取り換え作業が煩雑であるという問題や、多額の費用がかかるという問題があった。さらに、上述のようにエアタイト扉と水密扉との間の寸法の違いによる制約があるため、取り換えを行ったとしても、実際の運用に適さない可能性があるという問題があった。
【００１２】
本発明は、上記の課題を解決するためになされたものであって、エアタイト扉のように気密性は有しても耐水性能が不足する扉に対して、耐水性能の向上を容易に図ることができる扉を提供することを目的とする。
【課題を解決するための手段】
【００１３】
上記目的を達成するために、本発明は、以下の手段を提供する。
本発明の扉は、扉枠に対して両開き式に開閉可能に支持された一対の扉体と、前記一対の扉体の一方における室内側の面の戸先部に固定された回転軸まわりに回転可能に、一方の端部が支持された棒状のかんぬき部と、前記一対の扉体の他方における前記室内側の面の戸先部に設けられ、前記かんぬき部の他方の端部が嵌め合わされる受止め部と、前記かんぬき部の他方の端部を、前記回転軸および前記受止め部よりも上方に配置された状態で保持するとともに、前記一対の扉体の少なくとも他方の戸先部の中央が前記室内側に突出した際に前記かんぬき部の他方の端部の保持が解除される係止部と、が設けられていることを特徴とする。
【００１４】
本発明の扉によれば、扉体が水圧などによって室内側に突出するように湾曲した際に、係止部によるかんぬき部の保持が解除され、かんぬき部の他方の端部が受止め部と嵌め合わされる。一対の扉体は互いの戸先部がかんぬき部と受止め部とにより固定されるため、かんぬき部および受止め部の嵌め合わせが行われていない場合と比較して、水圧に対する耐性が高くなる。
【００１５】
また、係止部は、回転軸および受止め部よりも高い位置で、かんぬき部の他方の端部を保持するため、当該保持が解除された際に、かんぬき部の他方の端部は重力によって受止め部に向かって落下し、嵌め合わされる。
【００１６】
また、かんぬき部、受止め部および係止部を追加することにより、扉の耐水性能の向上が図れるため、既設のエアタイト扉などの扉に耐水性能を付加することが可能である。言い換えると、既設の扉に対する水没対策を容易に行うことができる。
【００１７】
扉体を交換して扉の耐水性能の向上を図る場合と比較して、かんぬき部、受止め部および係止部を追加するだけであるため、耐水性能向上に要するコストを抑えることができる。また、耐水性能向上に必要な作業が簡易なものとなる。他にも、扉の基本構造に変更はないため、通常時の扉の運用に支障が発生しにくい。
【００１８】
上記発明においては、前記係止部が互いに嵌め合わされる係止凸部および係止凹部であり、前記係止凸部および前記係止凹部の一方が、前記かんぬき部の他方の端部に設けられ、前記係止凸部および前記係止凹部の他方が、前記回転軸が設けられた扉体に設けられていることが好ましい。
【００１９】
このように係止部を係止凸部および係止凹部から構成することにより、扉体が室内側に突出するように湾曲した際に、係止凸部と係止凹部との距離が離れて両者の嵌め合わせが解かれる。その結果、かんぬき部の他方の端部は、受止め部に向かって落下し嵌め合わされる。
【００２０】
上記発明においては、前記係止部が磁力によって互いに吸着する吸着部および被吸着部であり、前記吸着部および前記被吸着部の一方が、前記かんぬき部の他方の端部に設けられ、前記吸着部および前記被吸着部の他方が、前記回転軸が設けられた扉体に設けられていることが好ましい。
【００２１】
このように係止部を吸着部および被吸着部から構成することにより、扉体が室内側に突出するように湾曲した際に、吸着部および被吸着部との距離が離れて両者の間で働く吸着力が弱まる。当該吸着力よりも、かんぬき部の他方の端部が落下する力が大きくなると、かんぬき部の他方の端部は、受止め部に向かって移動し嵌め合わされる。
【００２２】
上記発明においては、前記係止部が、磁力によって磁性材料に吸着する吸着部であり、前記かんぬき部の他方の端部、および、前記回転軸が設けられた扉体の一方に吸着部が設けられ、前記かんぬき部の他方の端部、および、前記回転軸が設けられた扉体の少なくとも他方は、前記吸着部が吸着する前記磁性材料から形成された部分を有することが好ましい。
【００２３】
このようにかんぬき部および扉体の一方に吸着体を設けて、かんぬき部および扉体の少なくとも他方には吸着部が吸着する磁性材料から形成された部分が設けられていることにより、扉体が室内側に突出するように湾曲した際に、吸着部および磁性材料から形成された部分との距離が離れて両者の間で働く吸着力が弱まる。当該吸着力よりも、かんぬき部の他方の端部が落下する力が大きくなると、かんぬき部の他方の端部は、受止め部に向かって移動し嵌め合わされる。
【００２４】
上記発明において前記扉体における室外側の面には、戸先部から吊元部に向かって延びる、他の部分よりも室外側へ突出した変形抑制部が設けられ、前記一対の扉体のそれぞれに設けられた前記変形抑制部における戸先側の端部の間には隙間が形成され、前記一対の扉体の戸先部が前記室内側に変形した際に、前記変形抑制部の戸先側の端部が互いに接触することが好ましい。
【００２５】
このような変形抑制部を設けることにより、扉体の水圧に対する耐性が高くなる。つまり、扉体の厚さを少なくとも部分的に厚くする変形抑制部を設けることにより、扉体単体の強度が高くなり、水圧に対する耐性が高くなる。さらに、扉体が室内側に突出して湾曲した際に、変形抑制部の戸先側の端部が互いに接触することにより、一対の変形抑制部が一体化してかんぬきの様な働きをし、一対の扉体としての強度が高くなり、水圧に対する耐性が高くなる。
【発明の効果】
【００２６】
本発明の扉によれば、扉体が水圧などによって室内側に突出するように湾曲した際に、嵌め合わされるかんぬき部および受止め部を設けることにより、耐水性能の向上を容易に図ることができるという効果を奏する。
【図面の簡単な説明】
【００２７】
【図１】本発明の第１の実施形態に係る水防扉の概略構成を説明する図である。
【図２】図１のかんぬき部および受止め部の動きを説明する斜視図である。
【図３】図１のかんぬき部と扉体との係止状態を説明する模式図である。
【図４】別の実施例に係る水防扉のかんぬき部と扉体との係止状態を説明する摸式図である。
【図５】更に別の実施例に係る水防扉のかんぬき部と扉体との係止状態を説明する摸式図である。
【図６】本発明の第２の実施形態に係る水防扉の概略構成を説明する図である。
【図７】別の実施例に係る変形抑制部の構成を説明する斜視図である。
【発明を実施するための形態】
【００２８】
〔第１の実施形態〕
この発明の第１の実施形態に係る防水扉（扉）１について、図１から図５を参照しながら説明する。本実施形態の防水扉１は、公知の鋼製扉、特にエアタイト扉に対して主に耐水性を付与したもの、または、耐水性を向上したものである。つまり、防水扉１が洪水や津波などによって水没した場合であっても、水圧によって破壊されにくくしたものである。
【００２９】
なお、本実施形態では、防水扉１をエアタイト扉１０に耐水性を付与したものに適用して説明するが、耐水性を付与する扉はエアタイト扉１０に限定されるものではなく、セミエアタイト扉など、その他の形式の扉であってもよい。
【００３０】
防水扉１は、図１（ａ）の防水扉１を室外側から見た図、および図１（ｂ）の室内側から見た図に示すように、エアタイト扉１０と、エアタイト扉１０に耐水性を付与するかんぬき部２０、受止め部３０および係止部４０と、から主に構成されている。
【００３１】
エアタイト扉１０は、ビル等の建物駆体に形成された開口に配置された扉である。本実施形態では、建物駆体の外側に向かって開く両開き式のエアタイト扉１０である例に適用して説明する。
【００３２】
エアタイト扉１０としては、公知のものを用いることができるため、その構成要素については概略を説明するにとどめる。エアタイト扉１０には、扉枠１１と、ヒンジ部１２と、扉体１３ａ，１３ｂと、ロック部１５と、扉枠１１と扉体１３ａとの間、扉枠１１と扉体１３ｂとの間および扉体１３ａと扉１３ｂとの間の気密性を確保する気密部（図示せず）と、が主に設けられている。
【００３３】
扉枠１１は、建物駆体の開口に取り付けられた枠体であり、上下方向に延びる一対の枠、および、左右方向に延びる一対の枠によって矩形状に形成された枠体である。扉枠１１の内部は、扉体１３ａ，１３ｂなどが配置される開口部となっている。
【００３４】
ヒンジ部１２は、扉枠１１における上下方向に延びる一対の枠にそれぞれ設けられる蝶番部材であり、扉体１３ａ，１３ｂを開閉可能に支持するものである。図３に示すように、ヒンジ部１２は、扉枠１１から室外側（図１（ａ）の紙面の表側）に突出して配置されている。本実施形態では、扉体１３ａおよび扉体１３ｂのそれぞれを、上下方向に並んで配置された三つのヒンジ部１２で支持する例に適用して説明する。
【００３５】
扉体１３ａ，１３ｂは、ヒンジ部１２によって開閉可能に支持される一対の板状に形成された部材である。扉体１３ａおよび扉体１３ｂは、建物駆体の外側から見て、扉枠１１の開口部の右半部および左半部にそれぞれ配置されている。扉体１３ａ，１３ｂには、後述するようにロック部１５などが取り付けられている。
【００３６】
ロック部１５は、扉体１３ａ，１３ｂを閉じた状態で固定するものであり、図１（ｂ）に示すように、例えば、扉体１３ｂの室内側の面における戸先側に配置されたものである。ロック部１５には、扉枠１１との間で扉体１３ａまたは扉体１３ｂを固定するものと、召し合わせ部１４において扉体１３ａおよび扉体１３ｂの間で固定するものがある。
【００３７】
扉枠１１との間で扉体１３ａまたは扉体１３ｂを固定するロック部１５は、扉体１３ａまたは扉体１３ｂの上端近傍および下端近傍の２ヶ所に配置されている。扉体１３ａおよび扉体１３ｂの間で固定するロック部１５は、扉体１３ｂの戸先側の端部のほぼ中央に配置されている。
【００３８】
ロック部１５は、扉体１３ａに対して垂直に設けられたロック軸１５Ａまわりに回転する把持部１５Ｂおよびロッド１５Ｃと、ロッド１５Ｃの先端が嵌合する嵌合部１５Ｄとから主に構成されている。なお、ロック部１５の形式としては、上述の形式に限定されるものではなく、他の公知の形式を用いることもできる。
【００３９】
次に、本実施形態の特徴であるかんぬき部２０、受止め部３０および係止部４０について説明する。かんぬき部２０および受止め部３０は、図１および図２に示すように、扉体１３ａ，１３ｂの室内側の面におけるほぼ中央に配置され、扉体１３ａ，１３ｂが水圧などによって室内側に突出するように湾曲した際に嵌め合わされて、一対の扉体１３ａ，１３ｂの強度を高めるものである。
【００４０】
かんぬき部２０は、扉体１３ａに回転可能に取り付けられると共に、扉体１３ｂに設けられた受止め部３０と嵌め合わされるものである。
かんぬき部２０には、図３（ａ）および図３（ｂ）に示すように、四角柱状に形成された棒状の部材であるかんぬき本体２１と、かんぬき本体２１を回転可能に支持する回転軸２２と、から主に構成されている。本実施形態では、かんぬき本体２１を四角柱状に形成された棒状の部材である例に適用して説明するが、四角柱状に限定されるものではなく、その他の形状に形成されたものも用いることができる。
【００４１】
かんぬき本体２１の一方の端部には、回転軸２２が挿通される貫通孔２３が設けられ、他方の端部には後述する係止部４０の一部となる溝状の凹みである係止凹部４２が設けられている。
【００４２】
回転軸２２は、扉体１３ａの戸先部の上下方向の中央近辺であって、扉体１３ａの室内側の面に対して軸線が常に垂直になるように取り付けられたものである。回転軸２２は、貫通孔２３に挿通される円柱状または円筒状の軸体２４と、扉体１３ａとの間でかんぬき本体２１を回転可能に保持する鍔部２５と、から主に構成されている。本実施形態では、軸体２４が扉体１３ａに形成された突起部２６に固定され、かんぬき本体２１の貫通孔２３に軸体２４が挿通された後に、鍔部２５が軸体２４に取り付けられる例に適用して説明する。
【００４３】
受止め部３０は、図１および図２に示すように、かんぬき部２０が設けられた扉体１３ａとは別の扉体１３ｂに設けられるものである。また、受止め部３０は、上述の別の扉体１３ｂにおける戸先部であって、かんぬき部２０における回転軸２２から横方向に、かんぬき本体２１が届く範囲内に設けられている。受止め部３０は、扉体１３ｂから室内側に向かって延びる突出部３１と、突出部３１の端部から上方に折れ曲がり延びるガイド部３２からなるＬ字状に形成されたものである。
【００４４】
突出部３１はガイド部３２を支えると共に、重力によって倒れてきたかんぬき本体２１を支えるものでもある。ガイド部３２は、重力によって倒れてきたかんぬき本体２１を突出部３１に導くものであり、かつ、突出部３１に支えられたかんぬき本体２１が、突出部３１から落下しないように保持するものでもある。ガイド部３２は、扉体１３ｂの室内側の面に対して平行に配置されていてもよいし、上方に向かって扉体１３ｂから離れる方向に傾斜して配置されていてもよい。
【００４５】
係止部４０は、通常時は、かんぬき部２０が受止め部３０に嵌め合わされないように保持すると共に、扉体１３ａが水圧などによって室内側に突出するように湾曲した場合には、かんぬき部２０の保持を解除してかんぬき部２０および受止め部３０が嵌め合わされるようにするものである。
【００４６】
係止部４０は、図３に示すように、扉体１３ａに設けられた係止凸部４１、および、かんぬき本体２１に設けられた係止凹部４２から主に構成されている。係止凸部４１および係止凹部４２は、嵌め合わされることによりかんぬき本体２１を保持し、嵌め合わせが解かれることによりかんぬき本体２１の保持を解除するものである。
【００４７】
係止凸部４１は、かんぬき本体２１が設けられた扉体１３ａであって、回転軸２２よりも上方に設けられたものである。より好ましくは、回転軸２２の鉛直方向の上方または戸先側の上方に設けられたものである。係止凸部４１は、扉体１３ａから室内側に突出するとともに、回転軸２２を中心とする径方向、本実施形態では上下方向に延びる板状または堤状の部材である。さらに係止凸部４１における上方の端部は、下方の端部よりも室内側に突出して形成され、上方の端部と下方の端部とは傾斜面によりつながれている。
【００４８】
このように係止凸部４１の下方端部の突出高さを上方端部よりも低くすることにより、かんぬき本体２１の保持解除が行いやすくなる。つまり、図３（ｂ）に示すように、扉体１３ａが湾曲した場合、係止凸部４１の下方端部とかんぬき本体２１との距離は、上方端部との間の距離と比較して近くなる。このとき、上方端部および下方端部の突出高さが等しいと、下方端部がかんぬき本体２１と引っかかりやすく、かんぬき本体２１の保持解除が円滑に行われないおそれがある。それに対して、下方端部の突出高さを抑えることにより、下方端部とかんぬき本体２１との引っかかりを抑制でき、かんぬき本体２１の保持解除を円滑に行うことができる。
【００４９】
また、係止凸部４１における上方の端部の突出高さは、かんぬき本体２１の保持を解除する際における扉体１３ａの湾曲の程度によって定められる。つまり、扉体１３ａの湾曲が小さいうちにかんぬき本体２１の保持を解除する場合には、係止凸部４１の上方端部の突出高さは抑えられ、扉体１３ａの湾曲が大きくなってからかんぬき本体２１の保持を解除する場合には、係止凸部４１の上方端部の突出高さは高くなる。
【００５０】
係止凹部４２は、かんぬき本体２１における貫通孔２３が設けられた端部と反対側の端部であって、扉体１３ａと対向する面に、かんぬき本体２１の長軸方向に延びる溝状に形成された、内部に係止凸部４１を収納できる凹みである。
【００５１】
上述のように、係止凸部４１を、回転軸２２を中心とする径方向に延びる板状の部材とし、係止凹部４２をかんぬき本体２１の長軸方向に延びる溝状の凹みとすることにより、かんぬき本体２１の強度低下を抑制することができる。例えば、係止凹部４２をかんぬき本体２１の端軸方向に延びる溝状の凹みとすると、かんぬき部２０が受止め部３０に嵌め合わされた際に、かんぬき本体２１に働く力（せん断方向に働く力）に対して、かんぬき本体２１の強度が低下しやすい。同様な力が働く場合であっても、係止凹部４２がかんぬき本体２１の長軸方向に延びる溝状の凹みであると、かんぬき本体２１の強度低下は抑制される。
【００５２】
次に、上記の構成からなる防水扉１における耐水性の向上について説明する。
本実施形態の防水扉１は、水没していない通常の使用状態では、図３（ａ）に示すように、係止凸部４１と係止凹部４２とが嵌め合わされ、図２（ａ）に示すようにかんぬき本体２１が、回転軸２２から上方に延びた状態で保持されている。
【００５３】
防水扉１が水没すると、扉体１３ａは水圧によって押圧されて、図３（ｂ）に示すように、室内側（図３（ｂ）の左側）に突出するように湾曲する。かんぬき本体２１は、回転軸２２を介して扉体１３ａに支持されているため、かんぬき本体２１における係止凹部４２が設けられている側の端部は、扉体１３ａおよび係止凸部４１から離れる。この相対移動によって係止凸部４１と係止凹部４２との嵌め合わせが解かれる。
【００５４】
すると、かんぬき本体２１の係止凹部４２が設けられた端部は、重力によって回転軸２２まわりに回転することにより、図２（ａ）の破線で示す経路に沿って落下し、図２（ｂ）に示すように受止め部３０と嵌め合わされる。かんぬき本体２１が受止め部３０と嵌め合わされることにより、一対の扉体１３ａ，１３ｂが一体に固定され、水圧に対する一対の扉体１３ａ，１３ｂの強度が高くなる。
【００５５】
上記の構成の防水扉１によれば、扉体１３ａが水圧などによって室内側に突出するように湾曲した際に、係止部４０によるかんぬき部２０の保持が解除され、かんぬき部２０の端部が受止め部３０と嵌め合わされる。一対の扉体１３ａ，１３ｂは互いの戸先部がかんぬき部２０と受止め部３０とにより固定されるため、かんぬき部２０および受止め部３０の嵌め合わせが行われていない場合と比較して、水圧に対する耐性を高くすることができる。
【００５６】
また、係止部４０は、回転軸２２および受止め部３０よりも高い位置で、かんぬき部２０の係止凹部４２が設けられた端部を保持するため、当該保持が解除された際に、かんぬき部２０の係止凹部４２が設けられた端部は重力によって受止め部３０に向かって落下し、嵌め合わされる。言い換えると、電気などの動力を用いる必要がないため、停電時などの非常事態であっても、防水扉１の耐水性能の向上を図ることができる。
【００５７】
また、かんぬき部２０、受止め部３０および係止部４０を追加することにより、エアタイト扉１０の耐水性能の向上が図れるため、既設のエアタイト扉１０に耐水性能を付加することが可能である。言い換えると、既設のエアタイト扉１０に対する水没対策を容易に行うことができる。
【００５８】
扉体１３ａ，１３ｂを交換してエアタイト扉の耐水性能の向上を図る場合と比較して、かんぬき部２０、受止め部３０および係止部４０を追加するだけであるため、耐水性能向上に要するコストを抑えることができる。また、耐水性能向上に必要な作業が簡易なものとなる。他にも、エアタイト扉１０の基本構造に変更はないため、通常時の防水扉１の運用に支障が発生しにくい。
【００５９】
なお、上述の実施形態のように、かんぬき本体２１に係止凹部４２を設け、扉体１３ａに係止凸部４１を設けてもよいし、図４（ａ）および図４（ｂ）に示すように、かんぬき本体２１に係止凸部４１を設け、扉体１３ａに係止凹部４２を設けてもよい。
【００６０】
さらに、図５（ａ）および図５（ｂ）に示すように、係止部４０Ａが、扉体１３ａに設けられた磁石である吸着部４１Ａと、かんぬき本体２１に設けられた吸着部４１Ａと磁力によって吸着される鉄などの磁性材料から形成された被吸着部４２Ａと、から構成されていてもよい。
【００６１】
このように係止部４０Ａを吸着部４１Ａおよび被吸着部４２Ａから構成することにより、扉体１３ａが室内側に突出するように湾曲した際に、吸着部４１Ａおよび被吸着部４２Ａとの距離が離れて両者の間で働く吸着力が弱まる。当該吸着力よりも、かんぬき部２０の端部が落下する力が大きくなると、かんぬき部２０の端部を、受止め部３０に向かって移動させて嵌め合わせることができる。
【００６２】
また、扉体１３ａに被吸着部４２Ａを設け、かんぬき本体２１に吸着部４１Ａを設けてもよい。その他に、被吸着部４２Ａを設ける代わりに、扉体１３ａまたはかんぬき本体２１における吸着部４１Ａと対向する領域を鉄などの磁性材料で形成して、吸着部４１Ａが吸着できるようにしてもよい。
【００６３】
〔第２の実施形態〕
次に、本発明の第２の実施形態について図６および図７を参照して説明する。
本実施形態の防水扉の基本構成は、第１の実施形態と同様であるが、第１の実施形態とは、扉体の構成が異なっている。よって、本実施形態においては、図６および図７を用いて扉体の構成のみを説明し、その他の構成要素等の説明を省略する。
【００６４】
防水扉（扉）１０１のエアタイト扉１１０は、図６（ａ）の斜視図および図６（ｂ）の横断面視図に示すように、扉枠１１や、扉体１１３ａ，１１３ｂや、扉枠１１と扉体１１３ａとの間、扉枠１１と扉体１１３ｂとの間および扉体１１３ａ，１１３ｂ同士の間の気密性を確保する気密部（図示せず）などから主に構成されている。
【００６５】
扉体扉体１１３ａ，１１３ｂは、扉枠１１に開閉可能に支持される一対の板状に形成された部材である。一対の扉体扉体１１３ａ，１１３ｂは、建物駆体の外側から見て、扉枠１１の開口部の右半部および左半部にそれぞれ配置されている。扉体１１３ａ，１１３ｂには、水圧が加わった際の扉体１１３ａ，１１３ｂの変形を抑える変形抑制部１１４が設けられている。
【００６６】
変形抑制部１１４は、扉体１１３ａ，１１３ｂにおける室外側の面に上下方向のほぼ中央付近に設けられた、戸先部から吊元部に向かって延びる、扉体１１３ａ，１１３ｂの他の部分よりも室外側へ突出した部分である。さらに変形抑制部１１４は、吊元部から戸先部に向かって、扉体１１３ａ，１１３ｂからの突出高さが徐々に大きくなる形状に形成されたものである。
【００６７】
さらに、一対の変形抑制部１１４，１１４の間には、図６（ｂ）に示すように隙間１１５が設けられている。隙間１１５の幅は、例えば扉体１１３ａ，１１３ｂを閉じる際に、人の手が変形抑制部１１４，１１４に挟まれない程度以上であって、防水扉１０１が水没してかんぬき部２０が受止め部３０に嵌め合わされた後に変形抑制部１１４，１１４同士が接触する程度を挙げることできる。
【００６８】
このような変形抑制部１１４を設けることにより、扉体１１３ａ，１１３ｂの水圧に対する耐性を高くすることができる。つまり、扉体１１３ａ，１１３ｂの厚さを少なくとも部分的に厚くする変形抑制部１１４を設けることにより、扉体１１３ａ，１１３ｂ単体の強度が高くなり、水圧に対する耐性が高くなる。さらに、扉体１１３ａ，１１３ｂが室内側に突出して湾曲した際に、変形抑制部１１４，１１４の戸先側の端部が互いに接触することにより、一対の変形抑制部１１４，１１４が一体化してかんぬきの様な働きをし、一対の扉体１１３ａ，１１３ｂとしての強度を高くすることができ、水圧に対する耐性を高くすることができる。
【００６９】
なお、変形抑制部１１４の形状は、上述の実施形態のように吊元部から戸先部に向かって、扉体１１３ａ，１１３ｂからの突出高さが徐々に大きくなる形状であってもよいし、図７（ａ）の斜視図に示す変形抑制部１１４Ａのように、吊元部から戸先部にわたって、突出高さがほぼ変化しない形状であってもよい。さらに、扉体１１３ａ，１１３ｂにおける上下方向のほぼ中央付近にのみ変形抑制部１１４を設けてもよいし、図７（ｂ）の斜視図に示す変形抑制部１１４Ｂのように、扉体１１４のほぼ全面にもうけてもよい。
【符号の説明】
【００７０】
１，１０１…防水扉（扉）、１１…扉枠、１３ａ，１３ｂ，１１３ａ，１１３ｂ…扉体、２０…かんぬき部、２２…回転軸、３０…受止め部、４０，４０Ａ…係止部、４１，４１Ａ…係止凸部、４２，４２Ａ…係止凹部、１１４，１１４Ａ，１１４Ｂ…変形抑制部
【図１】
2013163897.tif 000003
【図７】
2013163897.tif 000004
【図２】
2013163897.tif 000005
【図３】
2013163897.tif 000006
【図４】
2013163897.tif 000007
【図５】
2013163897.tif 000008
【図６】
2013163897.tif 000009